(57)【特許請求の範囲】
【請求項１】
媒体基材上に表示記録された機械読み取り可能なコード表示と、前記コード表示と同色を有し常温よりも高い所定温度以上で消色し透明化する感熱消色インクにより前記コード表示の上部及び／または周辺部に設けた表示層とを有し、
前記感熱消色インクが、溶剤中に分散させたインク組成物からなり、前記インク組成物は呈色性化合物と顕色剤と消去剤とを含み、前記呈色性化合物と顕色剤とは相互作用して発色した状態にあり、前記消去剤は、インク組成物の溶融時に、顕色剤および呈色性化合物のうち一方を優先的に溶解する性質を有するインクであり、
前記表示層により機械読み取り可能なＯＣＲ文字からなるコード表示を形成し、
前記媒体基材上に表示記録された機械読み取り可能なＯＣＲ文字からなるコード表示と、前記感熱消色インクによるＯＣＲ文字からなるコード表示とを連続的に機械読み取りした際に、前記各々のＯＣＲ文字からなるコード表示が異なるコード情報として機械読み取りすることが可能なコード表示であることを特徴とする情報記録媒体。
【発明の詳細な説明】
【０００１】
【発明の属する技術分野】
本発明は、バーコードやＯＣＲ文字等の機械読み取り可能なコード表示を設けた情報記録媒体であって、特にこのコード表示を加熱することにより２つの異なるコード情報として機械読み取りすることができる情報記録媒体に関する。
【０００２】
【従来の技術】
従来より、各種の情報記録媒体にバーコードやＯＣＲ文字等の機械読み取り可能なコード表示を設け、これらのコード表示を機械的に読み取ることで、各種システムの情報処理を効率的に行うことが一般的に実施されている。
これらの機械読み取り可能なコード表示は、例えば鉄道やバス等の運送関係でのキップや、各種の催物等における入場券に用いられ、通行を管理する場合等に、改札口や入場ゲートでコード表示を機械的に読み取ることで通行を制限したり許可したり、また通行した人の情報管理等をするために使用されている。
【０００３】
しかしながら、これらのコード表示は、通常目視可能に表示してあるので不正に本物に類似したコード表示を媒体に設けて偽造媒体を作製したり、また本物の媒体のコード表示を改ざんして別のコードのコード表示に変更し改札口や入場ゲートを不正通過されてしまう危険性があり、これらの偽造や改ざん防止対策を図る必要がある。
従来の偽造や改ざん防止対策としては、例えば墨色インク等の一般インクで印字や印刷したバーコード等のコード表示上に、赤外線透過性の墨色インクによる隠蔽層を形成してコード表示を目視不能にしたり、また、赤外線透過性の墨色インクによる隠蔽層をコード表示の一部として可視光センサと赤外線センサを用いて、隠蔽されたコード表示を読み取るようにすることでコード表示に対する偽造や改ざんを防止する技術が知られている。
しかし、上記技術では、可視光センサと赤外線センサを使用すればコード表示の番号等の情報内容が解読することができるので、その原理が一度わかってしまえばこれらのセンサで読み取り、偽造や改ざんを行われてしまう危険性があり、信用性が低いという欠点があり問題である。
【０００４】
また、機械読み取り可能なコード表示を設けた情報記録媒体の使用方法として、１枚のチケットやキップに２つの異なるコード情報からなるコード表示を設け、一次読み取り処理と２次読み取り処理を順次行うことで別々の箇所での入場ゲートの入場を許可したり、改札を通過できるようにするシステムが考えられる。例えば、１枚の往復キップに２つの異なるコード情報からなるコード表示を設け、一方のコード表示を行きの改札口で読み取り、他方のコード表示を帰りの改札口で読み取ることで、１枚の往復キップで往復の処理を可能にしたり、また各種の催し物において、例えば別々の入場ゲートを設けた２箇所の会場への入場管理に際して、１枚のチケットに２種のコード情報のコード表示をそれぞれ表示しておくことで入場ゲート毎にコード表示を読み取り２重ゲートの通行を可能にすることもできる。
しかしながら、上記の場合にも媒体上に２つのコード表示を設けなければならないため、一度通行することで使用した後にコード表示を改ざんすることで再使用される危険性があり、再使用防止の有効な手段が望まれている。
【０００５】
【発明が解決しようとする課題】
そこで本発明は、バーコードやＯＣＲ文字等の機械読み取り可能なコード表示を、第三者に簡単に認識できないようにして不正行為を予防し、また機械読み取り可能なコード表示が偽造や改ざんされた場合でも、簡単に不正が行われたことをチェックすることができ、また２つのコード情報をコード表示部分に組み合わせて設けることで各種のシステムに幅広く活用することができる情報記録媒体を提供するものである。
【０００６】
【課題を解決するための手段】
上述の目的を達成するために、本発明の情報記録媒体は、媒体基材上に表示記録された機械読み取り可能なコード表示と、前記コード表示と同色を有し常温よりも高い所定温度以上で消色し透明化する感熱消色インクにより前記コード表示の上部及び／または周辺部に設けた表示層とを有し、前記感熱消色インクが、溶剤中に分散させたインク組成物からなり、前記インク組成物は呈色性化合物と顕色剤と消去剤とを含み、前記呈色性化合物と顕色剤とは相互作用して発色した状態にあり、前記消去剤は、インク組成物の溶融時に、顕色剤および呈色性化合物のうち一方を優先的に溶解する性質を有するインクであり、前記表示層により機械読み取り可能なＯＣＲ文字からなるコード表示を形成し、前記媒体基材上に表示記録された機械読み取り可能なＯＣＲ文字からなるコード表示と、前記感熱消色インクによるＯＣＲ文字からなるコード表示とを連続的に機械読み取りした際に、前記各々のＯＣＲ文字からなるコード表示が異なるコード情報として機械読み取りすることが可能なコード表示であることを特徴とする情報記録媒体である。
【００１１】
【発明の実施の形態】
以下、本発明の実施の形態を図面を用いて詳細に説明する。
図１は、本発明の情報記録媒体の第１実施形態の断面図、図２（ａ）は、本発明の第１実施形態の平面図、図２（ｂ）は、本発明の第１実施形態の情報記録媒体を加熱した状態を示す平面図、図３は、本発明の情報記録媒体の第２実施形態の断面図、図４（ａ）は、本発明の第２実施形態の平面図、図４（ｂ）は、本発明の第２実施形態の情報記録媒体を加熱した状態を示す平面図、図５は、本発明の情報記録媒体の第３実施形態の断面図、図６（ａ）は、本発明の第３実施形態の平面図、図６（ｂ）は、本発明の第３実施形態の情報記録媒体を加熱した状態を示す平面図、図７（ａ）は、本発明の情報記録媒体の第４実施形態の平面図、図７（ｂ）は、本発明の第４実施形態の情報記録媒体を加熱した状態を示す平面図、図８は、本発明の情報記録媒体をチケットに適応した場合の使用方法の一実施例を説明する図、図９は、本発明の情報記録媒体を工程管理カードに適応した場合の使用方法の一実施例を説明する図、図１０は、本発明の情報記録媒体を金券類に適応した場合の使用方法の一実施例を説明する図である。
【００１２】
（第１実施形態）
本発明の第１実施形態の情報記録媒体１は、図１，図２に示すように、媒体基材２上に一般的な印刷インクを用いて表示記録された機械読み取り可能なコード表示３と、前記コード表示３の印刷インクと同色を有し、前記コード表示３の上部やその周辺部に常温よりも高い所定温度以上で消色し透明化する感熱消色インクにより形成された表示層４を有するものである。
前記機械読み取り可能なコード表示３は、例えばバーコード、ＯＣＲ文字等であり、主に光学的手法によりコード表示３を認識して情報を読み取るための表示である。
図１，図２には、バーコードによるコード表示３を示しており、媒体基材２上に一般的な印刷インクでコード表示３を設け、特定のコード情報が記録されている。
このコード表示３の一部を表示層４で覆うことにより、コード表示３により記録されたコード情報の一部を他のコード情報として読み取れるようにコード表示を変更してある。
【００１３】
また、感熱消色インクにより形成された表示層４でコード表示３の全部を隠蔽する状態で覆ってもよいが、表示層４を媒体基材２上の所定部分に設けることで、コード表示３で表示記録したコード情報の一部を別のコード情報として機械読み取りすることが可能な状態にして、２つの異なるコード情報を機械読み取りできるようにすることが好ましい。
例えば、まず媒体基材２上に一般的な印刷インクを用いてバーコードにおける幅広のバーと幅狭のバーの組み合わせでコード表示３を印刷した後、幅狭のバーの左右領域周辺に感熱消色インクにより所定幅の表示層４を形成することで、幅広のバーとして機械読み取りできるように表示し、感熱消色インクに対して加熱する前の段階の機械読み取りと、加熱した後の段階の機械読み取りとの２つの異なるコード情報として読み取ることが可能になる。
【００１４】
次に、本発明に使用する加熱により消去可能な感熱消色インクについて説明する。
本発明の表示層４に使用する加熱により消去可能な感熱消色インクは、基本的に呈色性化合物、顕色剤、および消去剤の３成分からなるものである。
ここでの呈色性化合物とは色素の前駆体化合物であり、顕色剤とは呈色性化合物との電子の授受等の相互作用により呈色性化合物を着色させる化合物であり、消去剤は、溶融時に呈色性化合物または顕色剤のいずれか一方を優先的に溶解する性質を持つ化合物である。
これら３成分が共存する場合、発色状態と消色状態の２つの状態をとる。
ひとつの状態は、呈色性化合物および顕色剤が、消去剤の平衡溶解度を越えて存在するため、平衡溶解度の範囲内の呈色性化合物および顕色剤は着色しないが、平衡溶解度を超えた分の呈色性化合物および顕色剤が相互作用した結果の発色状態である。また、もうひとつの状態は、消去剤が呈色性化合物または顕色剤を平衡状態を越えて多量に取り込み、呈色性化合物または顕色剤の相互作用が減少した結果の消色状態である。
【００１５】
仮に、消去剤が、溶融時に顕色剤を優先的に溶解する性質を持つとすると、室温では、呈色性化合物、顕色剤、および消去剤の各相は、相分離した状態が平衡状態に近く、この状態で、呈色性化合物と顕色剤とが相互作用の結果、発色状態となる。
この状態のものを、融点以上に加熱すると、顕色剤が溶融した消去剤に優先的に溶解し、呈色性化合物と相互作用する結果、消色状態になる。この溶融した状態にある３つの成分を急冷すると、消去剤は、平衡溶解度を越えた量の顕色剤を取り込んで非晶質化し、常温で無色となる。この無色の状態は平衡状態ではないが、ガラス転移点以下であれば、十分長寿命であり、ガラス転移温度以上であっても、非晶質の状態から容易に平衡状態に移ることはない。
【００１６】
呈色性化合物としては、ロイコオーラミン類、ジアリールフタリド類、ポリアリールカルビノール類、アシルオーラミン類、アリールオーラミン類、ローダミンＢラクタム類、インドリン類、スピロピラン類、フルオラン類等の電子供与性有機化合物が挙げられる。
【００１７】
具体的な呈色性化合物としては、クリスタルバイオレットラクトン、マラカイトグリーンラクトン、２−アニリノ−６−（Ｎ−シクロヘキシル−Ｎ−メチルアミノ）−３−メチルフルオラン、２−アニリノ−３−メチル−６−（Ｎ−プロピルアミノ）フルオラン、３−［４−（４−フェニルアミノフェニル）アミノフェニル］アミノ−６−メチル−７−クロロフルオラン、２−アニリノ−６−（Ｎ−メチル−Ｎ−イソブチルアミノ）−３−メチルフルオラン、２−アニリノ−６−（ジブチルアミノ）−３−メチルフルオラン、３−クロロ−６−（シクロヘキシルアミノ）フルオラン、２−クロロ−６−（ジエチルアミノ）フルオラン、７−（Ｎ，Ｎ−ジベンジルアミノ）−３−（Ｎ，Ｎ−ジエチルアミノ）フルオラン、３，６−ビス（ジエチルアミノ）フルオラン−γ−（４’−ニトロアニリノ）ラクタム、３−ジエチルアミノベンゾ［ａ］−フルオラン、３−ジエチルアミノ−６−メチル−７−アミノフルオラン、３−ジエチルアミノ−７−キシリジノフルオラン、３−（４−ジエチルアミノ−２−エトキシェニル）−３−（１−エチル−２−メチルインドール−３−イル）−４−アザフタリド、３−（４−ジエチルアミノフェニル）−３−（１−エチル−２−メチルインドール−３−イル）フタリド、３−ジエチルアミノ−７−クロロアニリノフルオラン、３−ジエチルアミノ−７，８−ベンゾフルオラン、３，３−ビス（１−ｎ−ブチル−２−メチルインドール−３−イル）フタリド、３，６−ジメチルエトキシフルオラン、３，６−ジエチルアミノ−６−メトキシ−７−アミノフルオラン、ＤＥＰＭ、ＡＴＰ、ＥＴＡＣ、２−（２−クロロアニリノ）−６−ジブチルジノフルオラン、クリスタルバイオレットカルビノール、マラカイトグリーンカルビノール、Ｎ−（２，３−ジクロロフェニル）ロイコオーラミン、Ｎ−ベンゾイルオーラミン、ローダミンＢラクタム、Ｎ−アセチルオーラミン、Ｎ−フェニルオーラミン、２−（フェニルイミノエタンジリデン）−３，３−ジメチルインドリン、Ｎ，３，３−トリメチルインドリノベンゾスビロピラン、８’−メトキシＮ，３，３−トリメチルインドリノベンゾスビロピラン、３−ジエチルアミノ−６−メチル−７−クロロフルオラン、３−ジエチルアミノ−７−メトキシフルオラン、３−ジエルアミノ−６−ベンジルオキシフルオラン、１，２−ベンゾ−６−ジエチルアミノフルオラン、３，６−ジ−ｐ−トルイジノ−５−ジメチルフルオラン、ブェニルヒドラジド−γ−ラクタム、３−アミノ−５−メチル−フルオラン等が挙げられる。
これらは単独または２種類以上選択して、混合して使用することができる。
【００１８】
本発明で用いるインク組成物の成分である顕色剤としては、フェノール類、フェノール金属塩類、カルボン酸金属塩類、ベンゾフェノン系、スルホン酸、スルホン酸塩、リン酸類、リン酸金属塩類、酸性リン酸エステル類、酸性リン酸エステル金属塩類、亜リン酸類、亜リン酸金属塩等の酸性化合物が挙げられ、やはり、単独または２種類以上選択して、混合して使用することができる。
【００１９】
本発明で用いる消去剤は、非晶質状態で無色透明であるものほどよい。このため、分子量が大きく、重量当たりの結晶の融解エンタルピ変化が小さく、最大結晶成長速度の小さい化合物であることが望ましい。
ステロイド骨格等、球状に近く嵩高い分子骨格を持つものが好ましい。また消去剤に対する顕色剤の親和性が高い方が顕色剤の溶解度が高く、例えばアルコール性水酸基を有する化合物が適している。
また、消色状態の３成分の安定性の観点で、消去剤のガラス転移温度が室温（２５℃）以上、さらに５０℃以上のものがより好ましいが、消去を高速化するためには、ガラス転移温度が１５０℃以下であることが好ましい。
これらを満足する消去剤は（ａ）ステロール加工物、（ｂ）コール酸、リトコール酸、テストステロン、およびコルチゾン、ならびにこれらの誘導体、および（ｃ）１個以上のヒドロキシル基を有する５員環以上の非芳香族系の環状化合物である。
【００２０】
（ａ）のステロール加工物としては具体的に、コレステロール、スチグマステロール、プレグネノロン、メチルアンドロステンジオール、エストラジオールベンゾエート、エピアンドロステン、ステノロン、β−シトステロール、プレグネノロンアセテート、β−コレステノール、５，１６−プレグナジエン−３β−オール−２０−オン、５α−プレグネン−３β−オール−２０−オン、５−プレグネン−３β，１７−ジオール−２０−オン  ２１−アセテート、５−プレグネン−３β，１７−ジオール−２０−オン  １７−アセテート、５−プレグネン−３β，２１−ジオール−２０−オン  ２１−アセテート、５−プレグネン−３β，１７−ジオール  ジアセテート、ロコゲニン、チゴゲニン、エスミラゲニン、ヘコゲニン、ジオスゲニンおよびその誘導体がある。
これらは単独または２種類以上選択して、混合して使用することができる。
これらのうちで、安定な消色状態を得るのに好適なものとして、メチルアンドロステンジオール、ヘコゲニン、ロコゲニン、チゴゲニン、ジオスゲニン、およびエスミラゲニン等がある。
【００２１】
（ｂ）コール酸、リトコール酸、テストステロン、およびコルチゾン、ならびにこれらの誘導体の具体例としては、コール酸、コール酸メチルエステル、リトコール酸、リトコール酸メチルエステル、ヒドロキシコール酸、ヒドロキシコール酸メチルエステル、テストステロン、メチルテストステロン、１１α−ヒドロキシメチルテストステロン、ヒドロコルチゾンが挙げられる。
これらのうちでも特に２個以上のヒドロキシル基を持つものが好ましい。
【００２２】
（ｃ）１個以上のヒドロキシル基を有する５員環以上の非芳香族系の環状化合物としては、具体的には、脂環式１価アルコール（例えばシクロドデカノール）、脂環式２価アルコール（例えば１，４−シクロヘキサンジオール、１，２−シクロヘキサンジオール、１，２−シクロドデカンジオール）、糖類およびその誘導体（例えばグルコース、サッカロース）、環状構造を有するアルコール類（例えば、１，２：５，６−ジイソプロピリデン−Ｄ−マンニトール）が挙げられる。
【００２３】
上記において（ｂ）の消去剤は（ａ）の消去剤とくらべて溶融時の顕色剤との相溶性が非常に高く、３成分が個他しても相分離を起こしにくい。
（ｃ）の消去剤は、（ａ）の消去剤との親和性が高く、固化した後にも相分離を起こしにくい。
【００２４】
以上の呈色性化合物、顕色剤、および消去剤の３成分を発色状態で溶媒中に分散させたものが感熱消色インク組成物である。
各成分の配合比は、呈色性化合物が１重量部に対して顕色剤が０．１〜１０重量部、より好ましくは１〜２重量部である。顕色剤が０．１重量部未満であると、発色が不十分であり、１０重量部を越えると、両者の相互作用を十分に減少させることが困難である。
消去剤は呈色性化合物１重量部に対して、１〜２００重量部であり、１０〜１００重量部がより好ましい。１重量部未満では、発色状態と消色状態との間での状態変化を起こさせることが困難になり、２００重量部を越えると、インクの発色が十分となる。
【００２５】
感熱消色インク組成物の溶媒は、水であることが好ましいが有機溶剤を使用することができる。有機溶剤を使用するときは、界面活性剤を使用して呈色性化合物、顕色剤、および消去剤を分散させてもよいが、これらをマイクロカプセル化して分散させるとなおよい。また、呈色性化合物、顕色剤、および消去剤のインク組成物中の割合は、０．１〜１０重量％であることが好ましく、０．１重量％未満では、十分な印刷濃度が得にくく、１０重量％を越えると、インク組成物の粘度が過度になって印刷しにくくなることがある。また、溶媒中に分散された、呈色性化合物、顕色剤、および消去剤は１０μｍ以上の粒子を含まないサブミクロンオーダーの粒子であることが好ましい。
【００２６】
また、媒体基材２としては、紙、ポリエチレンテレフタレート、塩化ビニル、ＰＭＭＡ、ＡＢＳ、ポリオレフィン、ＰＥＴ−Ｇ、ポリカーボネート、アクリロニトリル−スチレン共重合体、セルロースプロピトネート、セルロースアセテートブチレート、そしてこれらプラスチック材料からなるポリマーアロイ等が用いられる。
そして、媒体基材２の上へのコード表示及び表示層の印刷は、オフセット印刷、グラビア印刷、シルク印刷、活版印刷などの従来技術による印刷や、またプリイターによる印字により表示すればよい。
【００２７】
したがって、上記の感熱消色インクを用いてコード表示３の上部や周辺部に表示層４を形成しているので、加熱前は図２（ａ）に示すように一般的な印刷インクを用いたコード表示３と感熱消色インクを用いた表示層４とが混在して一次的に機械読み取りコードを形成しているが、加熱することにより図２（ｂ）に示すように感熱消色インクを用いた表示層４の部分が消色して透明化することで、コード表示３だけが機械読み取り可能になる。
したがって、加熱前後でそれぞれ２つの異なるコード情報として機械読み取りを行うことができる。
【００２８】
（第２実施形態）
次に、本発明の第２実施形態の情報記録媒体１について、図３，図４に基づいて説明する。
本発明の第２実施形態の情報記録媒体１は、媒体基材２上に一般的な印刷インクを用いて表示記録された機械読み取り可能なコード表示３と、前記コード表示３が表示記録されていない領域に、前記コード表示３と同色を有し常温よりも高い所定温度以上で消色し透明化する感熱消色インクにより機械読み取り可能な表示層４が形成されているものである。この表示層４は、コード表示３と同じコード体系のコード表示として表示する。
第２実施形態では、感熱消色インクによる表示層４が、例えばバーコードにおける幅広のバーと幅狭のバーのいずれかのバーとして表示してあり、一般的な印刷インクを用いて表示されたコード表示３のコード情報と組み合わされて、コード表示３のコード情報とは異なるコード情報として機械読み取りできるように表示記録されている。
【００２９】
例えば、図３，図４に示すように、一般的な印刷インクにより媒体基材２上に一般的な印刷インクを用いて３本のバーが表示されていて、この３本のバーだけで特定のコード情報としての認識が可能なものとし、また上記３本のバーのそれぞれの間の領域に感熱消色インクによる２本のバーを示した表示層４がそれぞれ形成してある。
この場合には、常温において図４（ａ）に示す状態で印刷インクと感熱消色インクとにより表示した全部で５本のバーが同色で表示されていて、この５本のバーを機械読み取りすることで特定のコード情報を読み取ることができ、感熱消色インクの存在を知らない人はこの５本のバーによる機械読み取りのコード情報がこの情報記録媒体の全ての情報であると思うようにしてある。
【００３０】
しかし、このバーコード表示部分を加熱処理すると、図４（ｂ）に示すように、感熱消色インクにより表示した２本のバーを示した表示層４の部分が消色し透明化することで機械読み取りできない状態となり、一般的な印刷インクにより表示した３本のバーだけを機械読み取りすることで、前記した５本のバーを読み取ったコード情報とは異なる別の情報を認識することができる。
このように、印刷インクによる機械読み取り可能なコード表示３と、感熱消色インクによる機械読み取り可能な表示層４とを任意に組み合わせることで、感熱消色インクの表示層４の部分を加熱する前後において２つの異なるコード情報を機械読み取りできるように表示することができる。
【００３１】
（第３実施形態）
次に、本発明の第３実施形態の情報記録媒体１について、図５，図６に基づいて説明する。
本発明の第３実施形態の情報記録媒体１は、媒体基材２上に一般的な印刷インクを用いて表示記録された機械読み取り可能なコード表示３の前後の領域に、前記コード表示３と同色を有し常温よりも高い所定温度以上で消色し透明化する感熱消色インクにより機械読み取り可能な表示層４が形成されているものである。第３実施形態では、感熱消色インクによる表示層４が、例えばバーコードにおける幅広のバーと幅狭のバーのいずれかのバーとして表示してあり、一般的な印刷インクを用いて表示されたコード表示３の前後の領域に、連続状態でコード情報として機械読み取りできるように表示記録されている。
【００３２】
例えば、図５，図６に示すように、一般的な印刷インクにより媒体基材２上にバーコードによるコード表示３がされ、その後方つまり図５，図６においてコード表示３の右側の領域に続けて感熱消色インクを用いてバーコードを示す表示層４を形成する。
この場合には、常温において図６（ａ）に示す状態で印刷インクと感熱消色インクとにより表示したバーコードが連続的に表示されていて、特にそれぞれのインクが同色であるため目視上では１つのバーコード情報として表示されているように見える。
【００３３】
しかし、このバーコード表示部分を加熱処理すると、図６（ｂ）に示すように、感熱消色インクにより表示したバーコードの部分が消色し透明化することで機械読み取りできない状態となり、一般的な印刷インクにより表示した部分のバーコードだけを機械読み取りすることができる。
つまり、通常バーコードの機械読み取りの場合には、読み取りセンサーでバーコードの各バーの幅方向を連続的になぞって読み取るので、表示されたバーコードの一部だけを正確に読み取ることが難しいので２つの異なるコード情報をバーコードで表示する場合には、別々の領域に２つのバーコードを表示しなければならないが、本発明では感熱消色インクにより表示したバーコードの部分が消色し透明化するので、間違いなく正確に一般的な印刷インクにより表示したバーコードを読み取ることが可能になる。
【００３４】
（第４実施形態）
次に、本発明の第４実施形態の情報記録媒体１について、図７に基づいて説明する。
本発明の第４実施形態の情報記録媒体１は、媒体基材２上に一般的な印刷インクを用いて表示記録されたＯＣＲ文字からなるコード表示３と、前記コード表示３と同色を有し常温よりも高い所定温度以上で消色し透明化する感熱消色インクにより表示されたＯＣＲ文字を示した表示層４とを組み合わせて表示形成させたものである。
ＯＣＲ文字は、目視により表示内容を簡単に認識することができるのでコード表示のコード情報を人間が読み取ることができ便利であるが、その反面にコード表示を改ざんされることで不正行為を行われる危険性が高い。
【００３５】
例えば、図７（ａ）に示すように、複数のＯＣＲ文字によりコード表示がされているが、この複数のＯＣＲ文字の中の所定の何文字かのＯＣＲ文字を感熱消色インクを用いた表示層４により設ける。
これにより、感熱消色インクを用いた表示層４を加熱する前の段階では、全体のＯＣＲ文字を読み取ることができるが、加熱した後は、図７（ｂ）に示すように表示層４のＯＣＲ文字の部分が消色し透明化するので一般的な印刷インクで表示したＯＣＲ文字の部分だけが残り、この部分のＯＣＲ文字のコード情報を機械読み取りすることができる。
【００３６】
【実施例】
（実施例１）
次に、本発明の一実施例として、本発明の情報記録媒体をチケットに適応した場合について、図８に基づいて説明する。
例えば、各種の催し物に入場するためのチケットであって、チケットを持った一般の人と会員のそれぞれが入場することができる一般用会場と、会員だけが入場することができる会員用会場とが設けられた場合において、あらかじめ一般の人へは一般用チケット１ａを配付し、また会員には会員用チケット１ｂを配付する。
そして一般用チケット１ａには、一般的な印刷インク３ａで例えば５桁の券番号「ＡＢ１２３」をＯＣＲ文字によりプリンター等で印字し、また会員用チケット１ｂには、５桁の券番号の内、１桁目と５桁目の２文字を感熱消色インク４ａを用いてプリンター等で印字し、残りの文字「Ｂ１２」を一般的な印刷インク３ａで印字しておく。
この場合、一般的な印刷インク３ａと感熱消色インク４ａとは、同色の例えば黒色のインクを使用し、印字した場合でも外見上はインクが異なる種類のインクであるとは識別できない状態で表示しておく。
【００３７】
また、一般用会場と会員用会場のそれぞれの入り口には、一般用会場の一次ゲート５と会員用会場の二次ゲート６とが備えられている。そして、一次ゲート５にはＯＣＲ文字読み取り手段と加熱消色処理手段とが備えられ、また二次ゲート６にはＯＣＲ文字読み取り手段が備えられている。
そして、チケットを持ったお客が訪れた際に、まず一次ゲート５にそのチケットを挿入してもらい、一次ゲート５内でＯＣＲ文字を読み取った後にチケット表面を加熱する。この加熱によりそのチケットが会員用チケット１ｂであれば、感熱消色インク４ａで表示した部分のＯＣＲ文字が消色するため３文字の「Ｂ１２」だけが目視可能な状態として残り、他の２文字は消色してしまう。
【００３８】
次に、会員用会場の二次ゲート６にチケットを挿入すると、二次ゲート６内でＯＣＲ文字が読み取られ、ゲート進入の許可条件として予め定められたＯＣＲ文字の３文字「Ｂ１２」を読み取り問題がなければゲートが開いて入場することができる。
もし、二次ゲート６でＯＣＲ文字が５文字の「ＡＢ１２３」のまま表示されていれば、そのチケットは一般用チケット１ａとして判断されゲートは閉じたままで入場することはできない。
このようにすれば、もし一般用チケット１ａと会員用チケット１ｂとを同一の印刷デザインとし、しかもＯＣＲ文字も同じように５文字「ＡＢ１２３」として表示しておけば、外観上は差別がないようにしておくことができ、入場の際の一次ゲート５での加熱によりＯＣＲ文字の表示に変化を与えることで、二次ゲート６での機械的読み取りによる選別を行うことが可能になる。
【００３９】
（実施例２）
次に、本発明の第２の実施例として、本発明の情報記録媒体を工程管理カードに適応した場合について、図９に基づいて説明する。
一般的に各種の製品を工場等で製造する際において、予め製造工程ルートが定められており、例えば一定の工程毎にその途中の段階で何回かの検査工程を入れて、基準値に達した製品だけを次の工程に進めるようにして欠陥品を製造しないようにしている。
これら製造工程での製品毎の工程管理カードとして本発明の情報記録媒体を適応すると、工程管理カード１ｃの表面に一般的な印刷インク３ａを使用したバーコードと感熱消色インク４ａを使用したバーコードとを並列状態で表示しておく。
【００４０】
そして、この工程管理カード１ｃを製品に添付等して各作業工程を回覧するが、一定の工程後に検査工程で検査して検査に合格して製品の工程管理カード１ｃを一次ゲート５ａに挿入する。
この一次ゲート５ａにはバーコード読み取り手段と加熱消色処理手段とが備えられ、工程管理カード１ｃのバーコードを読み取った後に加熱することで感熱消色インク４ａで表示した部分のバーコードが消色し、一般的な印刷インク３ａを使用したバーコードだけが読み取り可能な状態で残る。
そしてこれらの検査に合格した製品を一旦倉庫等に在庫として保管した後、工場からその製品を出荷する前の段階に、最終チェックのためのバーコード読み取り手段を有する二次ゲート６ａを設けておき、工程管理カード１ｃに表示された一般的な印刷インク３ａを使用したバーコードを読み取り出荷してよいものであるかの情報照合を行うことで不良製品の出荷を防止するものである。
【００４１】
（実施例３）
次に、本発明の第３の実施例として、本発明の情報記録媒体を証書，金券類に適応した場合について、図１０に基づいて説明する。
各種証書や小切手、手形等の金券類の偽造対策としても本発明の情報記録媒体を有効に適応することができる。
例えば、本物の金券類１ｄには、一般的な印刷インク３ａと感熱消色インク４ａのそれぞれのインクを使用してＯＣＲ文字「１２３４５」によるコード情報を表示しておく。ここでは、一般的な印刷インク３ａでＯＣＲ文字「２３４」を表示し、感熱消色インク４ａで残りのＯＣＲ文字「１５」を表示しておく。
この印刷インク３ａと感熱消色インク４ａとは同色としてプリンター印字または印刷することで、外観上はインクの種類が異なることがわからない状態にしておく。
したがって、偽造券１ｅを作る者は、本物に感熱消色インク４ａが使用されているとは気が付かずに一般的な印刷インク３ａだけで本物に似せたＯＣＲ文字によるコード情報を表示する。
【００４２】
そして、これらの金券類１ｄを処理する金融機関等には、ＯＣＲ文字読み取り手段と加熱消色処理手段とが備えられ一次処理部５ｂと、ＯＣＲ文字読み取り手段を備えた二次処理部６ｂとを有する偽造券１ｅをチェックするためのセキュリティーチェックシステムを備えておく。
そして、お客が金券類１ｄまたは場合によっては偽造券１ｅを持って窓口で処理を依頼した際に、それらの券をセキュリティーチェックシステムの一次処理部５ｂへ入れて、ＯＣＲ文字を読み取った後に加熱して感熱消色インク４ａによるＯＣＲ文字を消色して透明化する。次に、この券は自動的に二次処理部６ｂへと送られて再度表示されているＯＣＲ文字を読み取る。
【００４３】
つまり、お客が持ってきた券が本物であれば、一次処理部５ｂを通過した段階で感熱消色インク４ａによるＯＣＲ文字が消去されてしまうので、一次処理部５ｂで読み取ったＯＣＲ文字の情報と二次処理部６ｂで読み取ったＯＣＲ文字の情報とは異なるが、もし偽造券であれば、ＯＣＲ文字が全て一般的な印刷インクであるので一次処理部５ｂを通過した段階でもＯＣＲ文字に変化はなく、一次処理部５ｂで読み取ったＯＣＲ文字の情報と二次処理部６ｂで読み取ったＯＣＲ文字の情報とは同一情報として読み取れるため、偽造券であることが判るものである。
【００４４】
【発明の効果】
以上、詳細に説明したように、本発明の情報記録媒体は、媒体基材上に表示したコード表示を機械読み取りする場合に、感熱消色インクによる表示層で正確な読み取りをできないようにしているので、第三者による情報の盗み読みを防止することができる。
また、本発明に使用する感熱消色インクは、可逆性がないので加熱した後に一度コード表示を機械読み取りし、その後に元の状態にもどして不正に情報の盗み読みしたことをわからないようにしようとしても、感熱消色インクによる表示層の部分が透明化した状態のままとなり、不正な読み取りがあったことを見破ることができる。
【００４５】
そして、表示層により機械読み取り可能なコード表示を形成することで、２つの情報のコード情報を表示することができ、各種のシステムに幅広く活用することができ、また、表示層により機械読み取り可能なコード表示と、一般的な印刷インクによる機械読み取り可能なコード表示とを併用して連続的に読み取れるようにすることで、チケット、工程管理カード、金券類等の様々な媒体に幅広く活用することができる。
さらに、バーコードやＯＣＲ文字等の機械読み取り可能なコード表示により偽造や改ざんがされた場合でも、簡単に不正が行われたことをチェックすることができる。
【００４６】
【図面の簡単な説明】
【図１】本発明の情報記録媒体の第１実施形態の断面図である。
【図２】図２（ａ）は、本発明の第１実施形態の平面図、図２（ｂ）は、本発明の第１実施形態の情報記録媒体を加熱した状態の平面図である。
【図３】本発明の情報記録媒体の第２実施形態の断面図である。
【図４】図４（ａ）は、本発明の第２実施形態の平面図、図４（ｂ）は、本発明の第２実施形態の情報記録媒体を加熱した状態の平面図である。
【図５】本発明の情報記録媒体の第３実施形態の断面図である。
【図６】図６（ａ）は、本発明の第３実施形態の平面図、図６（ｂ）は、本発明の第３実施形態の情報記録媒体を加熱した状態の平面図である。
【図７】図７（ａ）は、本発明の情報記録媒体の第４実施形態の平面図、図７（ｂ）は、本発明の第４実施形態の情報記録媒体を加熱した状態の平面図である。
【図８】本発明の情報記録媒体をチケットに適応した場合の使用方法の一実施例を説明する図である。
【図９】本発明の情報記録媒体を工程管理カードに適応した場合の使用方法の一実施例を説明する図である。
【図１０】本発明の情報記録媒体を金券類に適応した場合の使用方法の一実施例を説明する図である。
【符号の説明】
１  情報記録媒体
１ａ  一般用チケット
１ｂ  会員用チケット
１ｃ  工程管理カード
１ｄ  金券類
１ｅ  偽造券
２  媒体基材
３  コード表示
３ａ  一般的な印刷インク
４  表示層
４ａ  感熱消色インク
５，５ａ  一次ゲート
５ｂ  一次処理部
６，６ａ  二次ゲート
６ｂ  二次処理部
７  セキュリティーチェックシステム
【図１】
0004220067.tif 000002
【図２】
0004220067.tif 000003
【図３】
0004220067.tif 000004
【図４】
0004220067.tif 000005
【図５】
0004220067.tif 000006
【図６】
0004220067.tif 000007
【図７】
0004220067.tif 000008
【図８】
0004220067.tif 000009
【図９】
0004220067.tif 000010
【図１０】
0004220067.tif 000011